(57)【要約】【課題】  果樹に作用する磁力を強くするとともに果樹に磁力が充分に作用するようにして、果樹の成長促進や果実の糖度増加のより一層の向上を図る。【解決手段】  一方面２及び他方面３を有した２以上のマグネット体１と、各マグネット体１のうち少なくとも１つのマグネット体１の一方面２と他のマグネット体１の他方面３とが果樹Ｋの外周面に当接するように保持する保持手段３０とを備えた果樹の栽培用具Ｓにおいて、各マグネット体１を、Ｓ極面及びＮ極面を有するとともに貫通孔を有した第一マグネット体１０と、Ｓ極面及びＮ極面を有し第一マグネット体１０の貫通孔に嵌合される第二マグネット体２０とを備えて構成し、第一マグネット体１０のＳ極面及び第二マグネット体２０のＮ極面，第一マグネット体１０のＮ極面及び第二マグネット体２０のＳ極面でマグネット体１の一方面２及び他方面３を形成し、各マグネット体１の磁束密度Ｇを２０００≦Ｇにした。【選択図】図７
0003141907.tif 000002
【実用新案登録請求の範囲】
【請求項１】
一方面及び他方面を有し板状に形成された２以上のマグネット体と、該各マグネット体のうち少なくともいずれか１つのマグネット体をその一方面が果樹の外周面に当接するように保持するとともに、他のマグネット体をその他方面が果樹の外周面に当接するように保持する保持手段とを備えた果樹の栽培用具において、
上記各マグネット体を、Ｓ極面及びＮ極面を有するとともに該Ｓ極面及びＮ極面を貫通する貫通孔を有した第一マグネット体と、Ｓ極面及びＮ極面を有するとともに上記第一マグネット体の貫通孔に該第一マグネット体の磁極方向とは逆の磁極方向になるように嵌合される第二マグネット体とを備えて構成し、上記第一マグネット体のＳ極面と上記第二マグネット体のＮ極面とで該マグネット体の一方面を形成し、上記第一マグネット体のＮ極面と上記第二マグネット体のＳ極面とで該マグネット体の他方面を形成し、上記各マグネット体の磁束密度Ｇを、２０００≦Ｇにしたことを特徴とする果樹の栽培用具。
【請求項２】
上記保持手段を、果樹の木部の外周に巻着される索体と、上記マグネット体の一方面及び他方面のいずれか一方に設けられ上記索体に取り付けられる取付部とを備えて構成したことを特徴とする請求項１記載の果樹の栽培用具。
【請求項３】
上記取付部を、上記索体に移動可能に挿通される筒体で構成したことを特徴とする請求項１または２記載の果樹の栽培用具。
【請求項４】
上記マグネット体を、樹脂コーティングしたことを特徴とする請求項２または３記載の果樹の栽培用具。
【請求項５】
上記取付部の筒体を、上記マグネット体に磁着する磁着体で形成したことを特徴とする請求項３または４記載の果樹の栽培用具。
【請求項６】
上記取付部の筒体を、上記マグネット体に接着剤を介して固着し、該マグネット体及び筒体を樹脂コーティングしたことを特徴とする請求項５記載の果樹の栽培用具。
【請求項７】
上記索体を、伸縮性のゴムで形成された索体本体と、該索体本体にその長手方向に沿って等間隔で列設されるとともに該索体本体に一体に膨出形成され該索体本体より大径の複数の膨出部とを備えて構成したことを特徴とする請求項２乃至６何れかに記載の果樹の栽培用具。
【考案の詳細な説明】
【技術分野】
【０００１】
本考案は、マグネットから生じる磁力を果樹に作用させて、果樹の成長促進や果樹に実る果実の糖度等を向上させる為の果樹の栽培用具に関する。
【背景技術】
【０００２】
従来、この種の果樹の栽培用具としては、例えば、特許文献１（特開平１０−５６８８３号公報）に記載されたものが知られている。
図９に示すように、この果樹の栽培用具Ｓａは、一方面１０１及び他方面１０２を有し板状に形成された２つのマグネット体１００と、１つのマグネット体１００をその一方面１０１が果樹Ｋａの外周面に当接するように保持するとともに、他のマグネット体１００をその他方面１０２が果樹Ｋａの外周面に当接するように保持する保持手段１１０とを備えて構成されている。保持手段１１０は、内部にマグネット体１００が嵌入される凹部１１１を有した２つのホルダ１１２ａ，１１２ｂと、この２つのホルダ１１２ａ，１１２ｂを連結する索体１１３とで構成されている。ホルダ１１２ａは、１つのマグネット体１００をその一方面１０１としてのＮ極面が果樹の外周面に当接するように保持し、ホルダ１１２ｂは、他のマグネット体１００をその他方面１０２としてのＳ極面が果樹の外周面に当接するように保持している。
【０００３】
この果樹の栽培用具Ｓａを用いて果樹Ｋａの栽培を行なう場合は、図９（Ａ）に示すように、果樹Ｋａの幹の外周面に２つのマグネット体１００が対向して当接するように索体１１３を果樹の外周面に装着する。これにより、２つのマグネット体１００は、互いに異なる磁性の磁極が対向するので、マグネット体１００が互いに吸引し合う磁力線Ｍａが生じ、果樹Ｋａの幹に磁力が作用するようになる。この磁力によって、果樹Ｋａの成長を促進させるとともに果実の糖度増加を図るようにしている。
【０００４】
また、一般に、この種の果樹の栽培用具において、マグネット体１００としては、磁力強度が、例えば、磁束密度Ｇが２〜２０Ｇのものが用いられている（特開平１０−３１３６８５号公報等参照）。
【０００５】
【特許文献１】特開平１０−５６８８３号公報
【特許文献２】特開平１０−３１３６８５号公報
【考案の開示】
【考案が解決しようとする課題】
【０００６】
しかしながら、上記従来の果樹の栽培用具Ｓａにおいては、マグネット体１００の一方面１０１及び他方面１０２が１つの極性のみで形成されているので、２つのマグネット体１００間に生じる磁力線Ｍａは、２つのマグネット体１００が吸引し合う磁力線Ｍａのみであり、そのため、果樹Ｋａの木部に充分な磁力が作用せず、果樹Ｋａの成長促進や果実の糖度増加が充分でないという問題があった。また、ここで用いられているマグネット体１００は、その磁束密度Ｇが、例えば、磁束密度Ｇが２〜２０Ｇと比較的低く、それだけ、果樹Ｋａの木部に作用する磁力が弱いので、果樹Ｋａの成長促進や果実の糖度増加が充分でないという問題もあった。
【０００７】
本考案は、このような問題点に鑑みてなされたもので、果樹に作用する磁力を強くするとともに果樹に磁力が充分に作用するようにして、果樹の成長促進や果実の糖度増加のより一層の向上を図った果樹の栽培用具を提供することを目的とする。
【課題を解決するための手段】
【０００８】
このような目的を達成するため、本考案の果樹の栽培用具は、一方面及び他方面を有し板状に形成された２以上のマグネット体と、該各マグネット体のうち少なくともいずれか１つのマグネット体をその一方面が果樹の外周面に当接するように保持するとともに、他のマグネット体をその他方面が果樹の外周面に当接するように保持する保持手段とを備えた果樹の栽培用具において、上記各マグネット体を、Ｓ極面及びＮ極面を有するとともに該Ｓ極面及びＮ極面を貫通する貫通孔を有した第一マグネット体と、Ｓ極面及びＮ極面を有するとともに上記第一マグネット体の貫通孔に該第一マグネット体の磁極方向とは逆の磁極方向になるように嵌合される第二マグネット体とを備えて構成し、上記第一マグネット体のＳ極面と上記第二マグネット体のＮ極面とで該マグネット体の一方面を形成し、上記第一マグネット体のＮ極面と上記第二マグネット体のＳ極面とで該マグネット体の他方面を形成し、上記各マグネット体の磁束密度Ｇを、２０００≦Ｇにした構成としている。
【０００９】
これにより、果樹を栽培するときは、各マグネット体を保持手段によって保持させ、果樹の外周面に少なくとも１つのマグネット体の一方面を当接させるとともに、果樹の外周面に少なくとも１つのマグネット体の他方面を当接させる。
この状態においては、一方面が果樹の外周面に当接するマグネット体と他方面が果樹の外周面に当接するマグネット体との間には、互いに吸引し合い若しくは反発する磁力線が生じ、この磁力が果樹に作用するようになる。また、各マグネット体の一方面及び他方面において、第一マグネット体の極性と第二マグネット体の極性とが異なる極性に形成されているので、第一マグネット体と第二マグネット体との間では互いに吸引し合う磁力線が生じ、この磁力が果樹に作用するようになる。即ち、従来の技術と比較して、マグネット体から生じる磁力線が増加し、それだけ、果樹に磁力が充分に作用するようになるので、果樹の成長促進や果実の糖度増加がより一層向上させられる。
【００１０】
また、本栽培用具を構成するマグネット体は、その磁束密度Ｇが２０００Ｇ以上であるので、従来の技術と比較して、磁束密度Ｇが飛躍的に高くなっており、それだけ、果樹の木部に作用する磁力が強くなるので、果樹の成長促進や果実の糖度増加がより一層向上させられる。
【００１１】
そして、必要に応じ、上記保持手段を、果樹の木部の外周に巻着される索体と、上記マグネット体の一方面及び他方面のいずれか一方に設けられ上記索体に取り付けられる取付部とを備えた構成としている。これにより、本栽培用具を果樹に装着させるときは、取付部が取り付けられていないマグネット体の一方面及び他方面を果樹の木部の外周面に当接させるとともに、索体を果樹の木部の外周に巻着させてマグネット体を保持させる。索体を果樹の木部の外周に巻着させるので、この索体の締着力により、マグネット体の一方面及び他方面が果樹の木部の外周面に当接した状態で確実に保持され、そのため、果樹に磁力が確実に作用するようになる。
【００１２】
また、必要に応じ、上記取付部を、上記索体に移動可能に挿通される筒体で構成している。これにより、取付部が索体を移動できるので、マグネット体も索体を移動できるようになる。即ち、本栽培用具を果樹の外周面に装着させた状態において、マグネット体を任意の位置に位置させることができるので、複数のマグネット体をバランス良く配置させることができる。また、本栽培用具の装着に係る果樹の外周の径の大きさに対応して、マグネット体を移動させて、任意の位置に位置させることができるので、外周の径の大きさがどのような大きさの果樹であっても本栽培用具を使用することができ、そのため、本栽培用具の汎用性が増す。更に、索体に取付部を挿通させるだけで良いので、索体に設けるマグネット体の数を容易に変更することができる。
【００１３】
更に、必要に応じ、上記マグネット体を、樹脂コーティングした構成としている。これにより、マグネット体が、例えば、雨等によって錆びることが防止される。また、マグネット体が直接果樹に当接することがないので、マグネット体に傷等が付くことが防止される。即ち、マグネット体の劣化を防止することができるので、マグネット体を長期間使用することができる。
【００１４】
更にまた、必要に応じ、上記取付部の筒体を、上記マグネット体に磁着する磁着体で形成した構成としている。これにより、取付部とマグネット体とを、より強固に固着することができる。
この場合、上記取付部の筒体を、上記マグネット体に接着剤を介して固着し、該マグネット体及び筒体を樹脂コーティングしたことが有効である。筒体及びマグネット体の両者を一体にして保護することができる。
【００１５】
そして、また、必要に応じ、上記索体を、伸縮性のゴムで形成された索体本体と、該索体本体にその長手方向に沿って等間隔で列設されるとともに該索体本体に一体に膨出形成され該索体本体より大径の複数の膨出部とを備えた構成としている。これにより、索体を果樹の外周に巻着させるときは、索体本体を果樹の外周に巻回させ、索体の一端側と他端側とを、例えば、結着させて巻着させる。結着させた場合、索体の一端側の膨出部と他端側の膨出部とによって索体が掛止されるようになるので、索体が果樹から外れることが防止され、そのため、索体を果樹に確実に巻着させることができる。また、索体本体を伸縮性のゴムで形成したので、果樹の外周に巻着された索体本体は、ゴムの伸縮性によって締着されるので、この点でも、より一層索体を果樹に確実に巻着させることができる。更に、索体本体が伸縮性を持つことから、索体の巻着後にマグネット体を移動させることができるので、本栽培用具を比較的容易に果樹に装着させることができ、そのため、作業性が向上させられる。
【００１６】
このような果樹の栽培用具を用いて果樹を栽培する場合は、例えば、上記索体を果樹の木部の外周に巻着し、少なくともいずれか１つのマグネット体の一方面と他の１つのマグネット体の他方面とが対向するように上記マグネット体を位置させる。
【００１７】
即ち、果樹を栽培するときは、索体本体を果樹の外周に巻回させ、索体の一端側と他端側とを、例えば、結着させて巻着させる。そして、マグネット体を移動させて、少なくともいずれか１つのマグネット体の一方面と他の１つのマグネット体の他方面とが対向する位置に位置させ、果樹の外周面に１つのマグネット体の一方面を当接させるとともに、果樹の外周面に他のマグネット体の他方面を当接させる。
【００１８】
この状態においては、一方面が果樹の外周面に当接するマグネット体と他方面が果樹の外周面に当接するマグネット体との間には、互いに吸引し合い若しくは反発する磁力線が生じ、この磁力が果樹に作用するようになる。また、各マグネット体の一方面及び他方面において、第一マグネット体の極性と第二マグネット体の極性とが異なる極性に形成されているので、第一マグネット体と第二マグネット体との間では互いに吸引し合う磁力線が生じ、この磁力が果樹に作用するようになる。更に、マグネット体を対向させたので、磁力線が果樹に効率良く作用するようになる。即ち、従来の技術と比較して、マグネット体から生じる磁力線が増加し、それだけ、果樹に磁力が充分に作用するようになるので、果樹の成長促進や果実の糖度増加がより一層向上させられる。また、マグネット体は、従来の技術と比較して、磁束密度Ｇが飛躍的に高くなっているので、それだけ、果樹の木部に作用する磁力が強くなり、この点でも、果樹の成長促進や果実の糖度増加がより一層向上させられる。
【考案の効果】
【００１９】
本考案の果樹の栽培用具によれば、第一マグネット体のＳ極面と第二マグネット体のＮ極面とでマグネット体の一方面を形成し、第一マグネット体のＮ極面と第二マグネット体のＳ極面とでマグネット体の他方面を形成し、各マグネット体の磁束密度Ｇを２０００Ｇ以上にして構成し、果樹の外周面に少なくとも１つのマグネット体の一方面を当接させるとともに、果樹の外周面に少なくとも１つのマグネット体の他方面を当接させたので、一方面が果樹の外周面に当接するマグネット体と他方面が果樹の外周面に当接するマグネット体との間には、互いに吸引し合い若しくは反発する磁力線が生じ、マグネット体の一方面及び他方面においては、第一マグネット体と第二マグネット体との間で互いに吸引し合う磁力線が生じ、この磁力が果樹に作用するようになる。即ち、従来の技術と比較して、マグネット体から生じる磁力線が増加し、それだけ、果樹に磁力が充分に作用するようになるので、果樹の成長促進や果実の糖度増加をより一層向上させることができる。また、マグネット体は、従来の技術と比較して、磁束密度Ｇが飛躍的に高くなっているので、それだけ、果樹の木部に作用する磁力が強くなり、この点でも、果樹の成長促進や果実の糖度増加をより一層向上させることができる。
【考案を実施するための最良の形態】
【００２０】
以下、添付図面に基づいて本考案の実施の形態に係る果樹の栽培用具を説明する。
図１乃至図７には、本考案の実施の形態に係る果樹の栽培用具Ｓを示している。本栽培用具Ｓは、一方面２及び他方面３を有し板状に形成された２以上のマグネット体１と、各マグネット体１のうち少なくともいずれか１つのマグネット体１をその一方面２が果樹Ｋの外周面に当接するように保持するとともに、他のマグネット体１をその他方面３が果樹Ｋの外周面に当接するように保持する保持手段３０とを備えて構成されている。
【００２１】
マグネット体１は、図１乃至図７に示すように、第一マグネット体１０と、第二マグネット体２０とで構成されている。実施の形態では、一方面２が果樹Ｋの外周面に当接するマグネット体１ａと、他方面３が果樹Ｋの外周面に当接するマグネット体１ｂとを、夫々１つずつ用いている。また、マグネット体１の磁束密度Ｇは、２０００≦Ｇに設定されている。実施の形態では、５０００Ｇに設定されている。
【００２２】
第一マグネット体１０は、図３，図５及び図７に示すように、板状で円形状に形成され、Ｓ極面１１及びＮ極面１２を有している。この第一マグネット体１０の中心には、Ｓ極面１１及びＮ極面１２を貫通する貫通孔１３が形成されている。また、第一マグネット体１０のＳ極面１１はマグネット体１の一方面２を形成し、Ｎ極面１２はマグネット体１の他方面３を形成している。この第一マグネット体１０の磁束密度Ｇは、実施の形態では、２０００Ｇに設定されている。また、第一マグネット体１０の直径Ｄ1は、１０ｍｍ≦Ｄ1≦５０ｍｍに設定される。実施の形態では、２０ｍｍ≦Ｄ1≦４０ｍｍ、具体的には、Ｄ1＝２０ｍｍにしてある。
【００２３】
第二マグネット体２０は、図３，図５及び図７に示すように、板状で円形状に形成され、Ｓ極面２１及びＮ極面２２を有している。この第二マグネット体２０は、第一マグネット体１０の貫通孔１３に、第一マグネット体１０の磁極方向とは逆の磁極方向になるように嵌合されている。即ち、第二マグネット体２０のＮ極面２２はマグネット体１の一方面２を形成し、Ｓ極面２１はマグネット体１の他方面３を形成している。この第二マグネット体２０の磁束密度Ｇは、実施の形態では、３０００Ｇに設定されている。また、第二マグネット体２０の直径Ｄ2は、５ｍｍ≦Ｄ2≦２５ｍｍに設定される。実施の形態では、５ｍｍ≦Ｄ2≦１５ｍｍ、具体的には、Ｄ2＝５ｍｍにしてある。
【００２４】
保持手段３０は、図１，図２及び図４乃至図７に示すように、果樹Ｋの木部の外周に巻着される索体４０と、マグネット体１の一方面２及び他方面３のいずれか一方に設けられ索体４０に取り付けられる取付部５０とを備えて構成されている。
【００２５】
索体４０は、図１，図２，図６及び図７に示すように、索体本体４１と、膨出部４２とで構成されている。
索体本体４１は、一端４３と他端４４を有した１本のゴムで形成されている。この索体本体４１は、伸縮性を有したゴムで形成されている。
膨出部４２は、索体本体４１の長手方向に沿って円球状に膨出形成されている。この膨出部４２は、索体本体４１に、等間隔で一体形成されている。
【００２６】
取付部５０は、図１，図２及び図４乃至図７に示すように、筒体に形成され、マグネット体１の一方面２及び他方面３のいずれか一方の面に磁着する磁着体で形成されている。実施の形態では、接着剤を介してマグネット体１に固着されている。この取付部５０は、筒体の径が索体４０の膨出部４２より大径に形成され、索体４０に移動可能に挿通されている。
【００２７】
そして、このマグネット体１及び取付部５０は、表面が樹脂４でコーティングされている。
【００２８】
従って、この果樹の栽培用具Ｓを用いて果樹の栽培を行なうときは、例えば、以下のようにする。ここでは、果樹Ｋとしての林檎の樹の木部に果樹の栽培用具Ｓを装着して栽培を行なう場合について説明する。実施の形態では、木部として径が２０ｃｍの幹に果樹の栽培用具Ｓを装着して栽培している。尚、果樹Ｋの幹の径は２０ｃｍに限定されず、何ｃｍでも良い。
【００２９】
先ず、索体本体４１を果樹Ｋの幹の外周に巻回させ、索体４０の一端４３側と他端４４側とを、結着して索体４０を果樹Ｋに巻着する。このとき、索体４０を巻着させる位置は、どのような位置でも良い。そして、マグネット体１を移動させて、一方面２が果樹Ｋの外周面に当接するマグネット体１ａと、他方面３が果樹Ｋの外周面に当接するマグネット体１ｂとを対向させて位置させ、果樹Ｋの外周面にマグネット体１ａの一方面２を当接させるとともに、果樹Ｋの外周面にマグネット体１ｂの他方面３を当接させる。
【００３０】
この状態においては、図７に示すように、一方面２が果樹Ｋの外周面に当接するマグネット体１と他方面３が果樹Ｋの外周面に当接するマグネット体１との間には、互いに吸引し合い若しくは反発する磁力線Ｍが生じ、この磁力が果樹Ｋに作用するようになる。また、各マグネット体１の一方面２及び他方面３において、第一マグネット体１０の極性と第二マグネット体２０の極性とが異なる極性に形成されているので、第一マグネット体１０と第二マグネット体２０との間では互いに吸引し合う磁力線Ｍが生じ、この磁力が果樹Ｋに作用するようになる。更に、マグネット体１を対向させたので、磁力線Ｍが果樹Ｋに効率良く作用するようになる。即ち、従来の技術と比較して、マグネット体１から生じる磁力線Ｍが増加し、それだけ、果樹Ｋに磁力が充分に作用するようになるので、果樹Ｋの成長促進や果実の糖度増加をより一層向上させることができる。また、マグネット体１は、従来の技術と比較して、磁束密度Ｇが飛躍的に高くなっているので、それだけ、果樹Ｋの木部に作用する磁力が強くなり、この点でも、果樹Ｋの成長促進や果実の糖度増加をより一層向上させることができる。
【００３１】
また、索体４０の一端４３側と他端４４側とを結着することにより、一端４３側の膨出部４２と他端４４側の膨出部４２とによって索体４０が掛止されるようになるので、索体４０が果樹Ｋから外れることが防止され、そのため、索体４０を果樹Ｋに確実に巻着させることができる。更に、果樹Ｋの外周に巻着された索体本体４１は、ゴムの伸縮性によって締着されるので、この点でも、より一層索体４０を果樹Ｋに確実に巻着させることができる。更にまた、索体４０の巻着後にマグネット体１を移動させるので、本栽培用具Ｓを比較的容易に果樹Ｋに装着させることができ、そのため、作業性を向上させることができる。
【実験例】
【００３２】
次に、実験例について説明する。この実験は、本栽培用具Ｓを使用せずに林檎の栽培を行なった場合と、本栽培用具Ｓを使用して林檎の栽培を行なった場合とで、収穫された果実の糖度への影響を調べた。この実験は、上記実施の形態と同様に、マグネット体１が２つ設けられた栽培用具Ｓを用いて、果樹Ｋの幹に栽培用具Ｓを装着して栽培した。林檎の品種としてふじを栽培した。
図８（Ａ）には、比較例として、本栽培用具Ｓを使用せずに林檎の栽培を行なった場合の果実の糖度を示しており、図８（Ｂ）には、本栽培用具Ｓを使用して林檎の栽培を行なった場合の果実の糖度を示している。
【００３３】
この実験の結果、本栽培用具Ｓを使用して栽培した林檎の果実は、３つ（図８（Ｂ）中Ｎｏ．１〜Ｎｏ．３）全てにおいて、陽光面及び陰光面の糖度が、本栽培用具Ｓを使用せずに栽培した場合の陽光面及び陰光面の糖度の平均を上回った。このことから、本栽培用具Ｓを用いて果樹Ｋの栽培を行なうと、果実の糖度が向上することが証明された。
【００３４】
尚、上記実施の形態において、果樹の栽培用具Ｓを、マグネット体１を２つ用いて構成したが、必ずしもこれに限定されるものではなく、マグネット体１を幾つ用いて構成しても良く、適宜変更して差支えない。
また、上記実施の形態において、マグネット体１の一方面２と他方面３とを対向させて位置させたが、必ずしもこれに限定されるものではなく、一方面２同士若しくは他方面３同士を対向させても良く、適宜変更して差支えない。また、マグネット体１は、必ずしも対向させなくても良い。
更に、上記実施の形態において、マグネット体１の磁束密度Ｇを５０００Ｇ，第一マグネット体１０の磁束密度Ｇを２０００Ｇ，第二マグネット体２０の磁束密度Ｇを３０００Ｇにしたが、必ずしもこれに限定されるものではなく、マグネット体１の磁束密度Ｇ、即ち、第一マグネット体１０の磁束密度Ｇと第二マグネット体２０の磁束密度Ｇとの合計が２０００Ｇ以上であれば良く、適宜変更して差支えない。
【００３５】
尚また、上記実施の形態において、林檎の樹を栽培したが、必ずしもこれに限定されるものではなく、果樹であれば良く、適宜変更して差支えない。
更に、上記実施の形態において、果樹Ｋの幹に栽培用具Ｓを装着したが、必ずしもこれに限定されるものではなく、枝等に装着しても良く、適宜変更して差支えない。
【図面の簡単な説明】
【００３６】
【図１】本考案の実施の形態に係る果樹の栽培用具を果樹に装着した状態で示す図である。
【図２】本考案の実施の形態に係る果樹の栽培用具を果樹に装着した状態で示す図１中Ａ−Ａ断面図である。
【図３】本考案の実施の形態に係るマグネット体を示す斜視図である。
【図４】本考案の実施の形態に係るマグネット体を樹脂でコーティングした状態及び取付部を固着した状態を示す斜視図である。
【図５】本考案の実施の形態に係るマグネット体を樹脂でコーティングした状態及び取付部を固着した状態を示す図４中Ｂ−Ｂ断面図である。
【図６】本考案の実施の形態に係る果樹の栽培用具を示す図である。
【図７】本考案の実施の形態に係る果樹の栽培用具を果樹に装着した状態の作用を示す図である。
【図８】本考案の実験例において、果樹の果実の糖度を示し、（Ａ）は比較例、（Ｂ）は本考案の実施の形態に係る果樹の栽培用具を用いた場合の結果を示す表である。
【図９】従来の果樹の栽培用具及び果樹の栽培方法の一例を示す図である。
【符号の説明】
【００３７】
Ｓ  果樹の栽培用具
Ｋ  果樹
Ｍ  磁力線
１  マグネット体
２  一方面
３  他方面
４  樹脂
１０  第一マグネット体
１１  Ｓ極面
１２  Ｎ極面
１３  貫通孔
２０  第二マグネット体
２１  Ｓ極面
２２  Ｎ極面
３０  保持手段
４０  索体
４１  索体本体
４２  膨出部
４３  一端
４４  他端
５０  取付部
【図１】
0003141907.tif 000003
【図２】
0003141907.tif 000004
【図３】
0003141907.tif 000005
【図４】
0003141907.tif 000006
【図５】
0003141907.tif 000007
【図６】
0003141907.tif 000008
【図７】
0003141907.tif 000009
【図８】
0003141907.tif 000010
【図９】
0003141907.tif 000011